(57)【特許請求の範囲】
【請求項１】
通話中に音声を集音するマイクと、
前記マイクにより集音される音声を通話相手に送信すると共に前記通話相手から音声を受信する通信手段と、
前記受信した音声を出力するスピーカと、
前記マイクの近傍に設けられ、第一対象物の近接を検出する第一近接検出手段と、
前記第一近接検出手段が設けられた位置とは異なる位置に設けられ、第二対象物の近接を検出する第二近接検出手段と、
前記第一近接検出手段が前記第一対象物の近接を検出しており、且つ、前記第二近接検出手段が前記第二対象物の近接を検出していない場合、前記マイクにより集音される音声の送信を停止する制御手段と、を備え、
前記スピーカにイヤホンが接続されていると共に、前記第一近接検出手段が前記第一対象物の近接を検出しており、且つ、前記第二近接検出手段が前記第二対象物の近接を検出していない場合、前記通信手段が前記マイクにより集音される音声を送信する、電話機。
【請求項２】
前記第一近接検出手段が前記第一対象物の近接を検出し、且つ、前記第二近接検出手段が前記第二対象物の近接を検出していない場合、前記制御手段は、前記マイクにより集音される音声の送信を停止すると共に、前記通信手段を介して保留音を前記通話相手に送信する、請求項１に記載の電話機。
【請求項３】
前記第二近接検出手段は、前記スピーカの近傍に設けられている、請求項１又は２に記載の電話機。
【請求項４】
前記第一近接検出手段及び前記第二近接検出手段は、近接センサである、請求項１〜３のいずれか一項に記載の電話機。
【請求項５】
タッチパネルを搭載した表示手段を更に備え、
前記第二近接検出手段が前記第二対象物の近接を検出している場合、前記タッチパネルの操作を無効にする、請求項１〜４のいずれか一項に記載の電話機。
【請求項６】
前記制御手段は、前記第一近接検出手段が前記第一対象物の近接を検出しており、且つ、前記第二近接検出手段が前記第二対象物の近接を検出していない状態において、更に、当該状態となった時点から設定された時間過去に遡ったときに前記第二近接検出手段が前記第二対象物の近接を検出している場合、前記マイクにより集音される音声の送信を停止する、請求項１〜５のいずれか一項に記載の電話機。
【請求項７】
前記第二近接検出手段が前記第二対象物の前記近接として、前記第二対象物の接触を検出する、請求項１〜６のいずれか一項に記載の電話機。
【請求項８】
通話中に音声を集音するマイクと、前記マイクにより集音される音声を通話相手に送信すると共に前記通話相手から音声を受信する通信手段と、前記受信した音声を出力するスピーカと、前記マイクの近傍に設けられている第一近接検出手段と、前記第一近接検出手段が設けられた位置とは異なる位置に設けられている第二近接検出手段と、制御手段と、
を備える電話機により実行される通話制御方法であって、
前記第一近接検出手段により第一対象物の近接を検出する第一近接検出ステップと、
前記第二近接検出手段により第二対象物の近接を検出する第二近接検出ステップと、
前記第一近接検出ステップにおいて前記第一対象物の近接が検出されており、且つ、前記第二近接検出ステップにおいて前記第二対象物の近接が検出されていない場合、前記制御手段によって前記マイクにより集音される音声の送信を停止する制御ステップと、を含み、
前記スピーカにイヤホンが接続されていると共に、前記第一近接検出ステップにより前記第一対象物の近接が検出されており、且つ、前記第二近接検出手段により前記第二対象物の近接が検出されていない場合、前記通信手段が前記マイクにより集音される音声を送信する、通話制御方法。
【発明の詳細な説明】
【技術分野】
【０００１】
本発明は、電話機及び通話制御方法に関する。
【背景技術】
【０００２】
従来から、電話機には、一時的に通話を遮断し、通話相手にメロディを流す保留状態にするための保留ボタンが備えられている。保留ボタンは、電話機の筐体部分や電話機のタッチパネル画面上に設けられる。下記特許文献１には、保留ボタンが筐体部分に設けられた携帯電話が開示されている。
【先行技術文献】
【特許文献】
【０００３】
【特許文献１】特開２００２−２７１４７３号公報
【発明の概要】
【発明が解決しようとする課題】
【０００４】
しかしながら、通話中に保留にしたくても、電話機に設けられた保留ボタンのハードキーの位置が分かりづらい場合がある。また、電話機のディスプレイにおけるバックライトが消灯中で、タッチパネル画面上に表示された保留ボタンのソフトキーの位置が確認できないときは、すぐに保留状態にすることができない。このため、保留ボタンを押す代わりにマイクを指で押さえて、通話相手に周囲の音声が聞こえないように試したりする場合がある。しかしながら、マイクを指で押さえるだけでは、周囲の音を完全に遮断することはできず、通話相手に周囲の音声が聞こえてしまったり、指でマイクをふれていることによる不快な雑音が通話相手に聞こえてしまったりする。
【０００５】
本発明は、上記課題を解決するためになされたものであり、ボタンを押さなくても、直感的な動作で通話制御することが可能な電話機及び通話制御方法を提供することを目的とする。
【課題を解決するための手段】
【０００６】
上記課題を解決するため、本発明は、通話中に音声を集音するマイクと、マイクにより集音される音声を通話相手に送信すると共に通話相手から音声を受信する通信手段と、受信した音声を出力するスピーカと、マイクの近傍に設けられ、第一対象物の近接を検出する第一近接検出手段と、第一近接検出手段が設けられた位置とは異なる位置に設けられ、第二対象物の近接を検出する第二近接検出手段と、第一近接検出手段が第一対象物の近接を検出しており、且つ、第二近接検出手段が第二対象物の近接を検出していない場合、マイクにより集音される音声の送信を停止する制御手段と、を備え、スピーカにイヤホンが接続されていると共に、第一近接検出手段が第一対象物の近接を検出しており、且つ、第二近接検出手段が第二対象物の近接を検出していない場合、通信手段がマイクにより集音される音声を送信する。
【０００７】
本発明では、第一近接検出手段が第一対象物の近接を検出しており、且つ、第二近接検出手段が第二対象物の近接を検出していない場合、マイクにより集音される音声の送信を停止する。これにより、例えば、ユーザが電話機を顔から遠ざけると共に、マイクの近くに指を近づけるだけで周囲の音声を通話相手に送信することを自動的に停止できる。したがって、ユーザはボタンを押さなくても、直感的な動作で通話制御することができる。また、通話中にユーザがイヤホンを接続して携帯電話を使用している場合、ユーザは通話相手からの音声はイヤホンで聞くが、携帯電話のマイクに口を近づけて通話を行う。このため、ユーザの指が第一近接検出手段に近接した状況ではないのに、第一近接検出手段のみが近接を検出する。よって、スピーカにイヤホンが接続されている場合には、第一近接検出手段のみが近接を検出してもマイクにより集音される音声を通話相手に送信する。これにより、携帯電話の使用状況にあった通話制御方法を提供できる。なお、ここでいう「イヤホン」は、音声出力機能のみを備え、マイク機能を備えない部品である。「イヤホン」には、音声出力機能とマイク機能とが一体となったイヤホンマイクは含まれない。
【０００８】
また、第一近接検出手段が第一対象物の近接を検出し、且つ、第二近接検出手段が前記第二対象物の近接を検出していない場合、制御部は、マイクにより集音される音声の送信を停止すると共に、通信手段を介して保留音を通話相手に送信することが望ましい。この構成によれば、ユーザが電話機を顔から遠ざけると共に、マイクの近くに指を近づけるだけで自動的に保留状態にできる。
【０００９】
第二近接検出手段は、スピーカの近傍に設けられていることが望ましい。この構成によれば、例えば、ユーザが電話機を顔から遠ざけたことをより正確に検出することができる。
【００１０】
第一近接検出手段及び第二近接検出手段は、近接センサであることが望ましい。ユーザが電話機を顔から遠ざけたこと及びマイクの近くに指を近づけたことをより正確に検出することができる。
【００１１】
タッチパネルを搭載した表示手段を更に備え、第二近接検出手段が第二対象物の近接を検出している場合、タッチパネルの操作を無効にすることが望ましい。タッチパネルを搭載した表示手段を備えた携帯電話では、第二近接検出手段が第二対象物の近接を検出している場合、ユーザがタッチパネルに顔を近づけていると考えられる。よって、ユーザがタッチパネルに顔を近づけている場合に、タッチパネルの操作を無効にすることで、タッチパネルが耳や頬に反応して生じる誤動作を防止することができる。
【００１３】
第一近接検出手段が第一対象物の近接を検出しており、且つ、第二近接検出手段が第二対象物の近接を検出していない状態において、更に当該状態となった時点から設定された時間過去に遡ったときに第二近接検出手段が第二対象物の近接を検出している場合、マイクにより集音される音声の送信を停止することが望ましい。これにより、例えば、ユーザが周囲の音を遮断するために、電話機の握り方が変わったことに応じた検出をすることで、周囲の音声を通話相手に送信することを自動的に停止できる。このように、複数の時点におけるユーザの状態を検出した時点で初めて通話制御を行うため、ユーザによる直感的な動作をより正確に検出することができる。
【００１４】
第二近接検出手段が第二対象物の近接として、第二対象物の接触を検出することが望ましい。これにより、例えば、ユーザの耳の近くに電話機があっても、電話機の握り方が変わったことに応じた検出することで、周囲の音声を通話相手に送信することを自動的に停止できる。したがって、第二近接検出手段に第二対象物が近接している条件においても、ユーザによる直感的な動作を検出することができる。
【００１５】
ところで、本発明は、上記のように電話機の発明として記述できる他に、以下のように通話制御方法の発明としても記述することができる。これはカテゴリが異なるだけで、実質的に同一の発明であり、同様の作用及び効果を奏する。
【００１６】
即ち、本発明に係る通話制御方法は、通話中に周囲の音声を集音するマイクと、マイクにより集音される音声を通話相手に送信すると共に通話相手から音声を受信する通信手段と、受信した音声を出力するスピーカと、マイクの近傍に設けられている第一近接検出手段と、第一近接検出手段が設けられた位置とは異なる位置に設けられている第二近接検出手段と、制御手段と、を備える電話機により実行される通話制御方法であって、第一近接検出手段により第一対象物の近接を検出する第一近接検出ステップと、第二近接検出手段により第二対象物の近接を検出する第二近接検出ステップと、第一近接検出ステップにおいて第一対象物の近接が検出されており、且つ、第二近接検出ステップにおいて第二対象物の近接が検出されていない場合、制御手段によってマイクにより集音される音声の送信を停止する制御ステップと、を含み、スピーカにイヤホンが接続されていると共に、第一近接検出ステップにより第一対象物の近接が検出されており、且つ、第二近接検出手段により第二対象物の近接が検出されていない場合、通信手段がマイクにより集音される音声を送信する、通話制御方法。
【発明の効果】
【００１７】
本発明によれば、ボタンを押さなくても、直感的な動作で通話制御することができる。
【図面の簡単な説明】
【００１８】
【図１】第１実施形態に係る携帯電話を示す図である。
【図２】図１の携帯電話の構成を示すブロック図である。
【図３】図１の携帯電話のハードウェア構成を示す図である。
【図４】図１の携帯電話が保留状態となる動作の説明図である。
【図５】第１実施形態に係る携帯電話で通話制御を実行する際のフローチャートである。
【図６】第２実施形態に係る携帯電話をユーザが通話中に握る様子を示す図である。
【図７】図６の携帯電話が保留状態となる動作の説明図である。
【図８】第２実施形態に係る携帯電話で通話制御を実行する際のフローチャートである。
【発明を実施するための形態】
【００１９】
以下、図面と共に本発明に係る電話機及び通話制御方法の好適な実施形態について詳細に説明する。なお、図面の説明においては同一要素には、同一符号を付し、重複する説明を省略する。
【００２０】
（第１実施形態）
本実施形態に係る電話機は、図１及び図２に示されるように、例えば、マイク１１、スピーカ１２及び表示部１３が設けられた携帯電話１０であり、無線網ＮＷを介して、他の携帯電話Ｍとの間で通話を行えるようになっている。なお、本実施形態においては、携帯電話１０の表示部１３が設けられている面を前面とする。
【００２１】
マイク１１は、他の携帯電話Ｍとの間で通話を行う際、ユーザの音声を集音して他の携帯電話Ｍに伝えるための装置であり、ユーザが携帯電話１０を用いて通話する際に口元が近づけられる付近（例えば、図１に示す状態での表示部１３の下側）の前面に設けられている。
【００２２】
スピーカ１２は、他の携帯電話Ｍとの間で通話を行う際、他の携帯電話Ｍからの音声を出力してユーザに伝える装置（レシーバ）であり、ユーザが携帯電話１０を用いて通話する際に耳元が近づけられる付近（例えば、図１に示す状態での表示部１３の上側）の前面に設けられている。
【００２３】
表示部１３は、携帯電話１０の操作画面等を表示する表示手段である。表示部１３は、タッチパネルを備えており、表示部１３に表示されたボタンに触れることで携帯電話１０を操作することができる。なお、本実施形態においては、スピーカ１２にはイヤホン（イヤーレシーバ）が接続されておらず、ユーザは携帯電話１０のマイク１１を口元に近づけ、スピーカ１２を耳元に近づけて通話するものとする。本実施形態においては、携帯電話１０のマイク１１が設けられている側を下側とし、スピーカ１２が設けられている側を上側とする。
【００２４】
携帯電話１０は、図３に示すように、オペレーティングシステムやアプリケーション・プログラムなどを実行し、制御部１８を含んで構成されるＣＰＵ１０１と、ＲＯＭ及びＲＡＭで構成される主記憶部１０２と、メモリなどで構成される補助記憶部１０３と、データ通信を行う通信制御部１０４と、マイク１１や文字入力用のキーで構成される入力部１０５と、スピーカ１２及び表示部１３を含んで構成される出力部１０６と、第一近接検出部１５及び第二近接検出部１６を含んで構成されるセンサ１０７と、を備えている。図１に示す携帯電話１０の各機能は、ＣＰＵ１０１及び主記憶部１０２の上に所定のソフトウェアを読み込ませ、ＣＰＵ１０１の制御の下で、通信制御部１０４を動作させ、主記憶部１０２及び補助記憶部１０３に対してデータの読み書きを実行することで実現される。データベースや処理に必要なデータは主記憶部１０２または補助記憶部１０３内に格納されている。
【００２５】
図２に戻って、携帯電話１０は、機能的には、通信部１４、第一近接検出部１５、第二近接検出部１６、保留音出力部１７及び制御部１８を備えている。
【００２６】
通信部１４は、携帯電話１０の無線通信機能を担う通信手段である。具体的には、通信部１４は、無線網ＮＷを介して他の携帯電話Ｍからの音声を受信すると共に、マイク１１によって集音される音声を他の携帯電話Ｍに送信する。通信部１４は、通信部１４と他の携帯電話Ｍとの接続（呼接続）の確立を検出すると、通話中であることを示す通話情報を第一近接検出部１５及び第二近接検出部１６に出力する。
【００２７】
また、通信部１４は、制御部１８による制御により、他の携帯電話Ｍとの間の音声の送受信を停止する。また、通信部１４は、他の携帯電話Ｍとの間の音声の送受信を停止している間は、保留音出力部１７が出力した保留音を他の携帯電話Ｍに送信する。通信部１４による音声の送受信及び保留音の送信は、制御部１８によって制御される。
【００２８】
第一近接検出部１５は、携帯電話１０の第一近接検出部１５の近くにある第一対象物までの距離が予め定めた距離（例えば５ｃｍ）よりも短くなった場合に、第一近接検出部１５に第一対象物が近接していることを検出する第一近接検出手段である。第一近接検出部１５は、マイク１１の近傍に設けられ、例えば、近接センサから構成される。第一近接検出部１５は、マイク１１から予め設定された距離を離して設けられており、一本の指でマイク１１と近接センサとを塞ぐことができる距離に配置される。例えば、第一近接検出部１５は、マイク１１から数ｍｍ〜数十ｍｍ離されて設けられる。第一近接検出部１５は、通信部１４から通話情報が入力されると、近接センサを起動し、第一対象物までの距離を連続して検出すると共に、検出した距離に応じた検出結果を制御部１８に出力する。
【００２９】
第一近接検出部１５は、第一近接検出部１５の近くにある第一対象物までの距離が予め定めた距離（例えば５ｃｍ）よりも短くなった場合に、第一近接検出部１５に近接しているものがあることを示す第一近接情報を制御部１８に出力する。一方、第一近接検出部１５は、第一近接検出部１５の近くにある第一対象物までの距離が予め定めた距離（例えば５ｃｍ）よりも長い場合又は第一近接検出部１５の近くにあるものが存在しない場合、第一近接検出部１５に近接しているものがないことを示す第一不近接情報を制御部１８に出力する。
【００３０】
第二近接検出部１６は、第二近接検出部１６の近くにある第二対象物との距離が予め定めた距離（例えば５ｃｍ）よりも短くなった場合に、第二対象物が第二近接検出部１６に近接していることを検出する第二近接検出手段である。第二近接検出部１６は、スピーカ１２の近傍に設けられ、例えば、近接センサから構成される。第二近接検出部１６は、スピーカ１２から予め設定された距離を離して設けられており、スピーカ１２に耳等のユーザの顔部やその他の体の一部が近づいたことを検出できる距離に配置される。例えば、第二近接検出部１６は、スピーカ１２から数ｍｍ〜数十ｍｍ離されて設けられる。第二近接検出部１６は、通信部１４から通話情報が入力されると、近接センサを起動し、第二対象物までの距離を連続して検出すると共に、検出した距離に応じた検出結果を制御部１８に出力する。
【００３１】
第二近接検出部１６は、携帯電話１０の第二近接検出部１６の近くにある第二対象物までの距離が予め定めた距離（例えば５ｃｍ）よりも短くなった場合に、第二近接検出部１６に近接しているものがあることを示す第二近接情報を制御部１８に出力する。一方、第二近接検出部１６は、第二近接検出部１６の近くにある第二対象物までの距離が予め定めた距離（例えば５ｃｍ）よりも長い場合又は第二近接検出部１６の近くにあるもの存在しない場合、第二近接検出部１６に近接しているものがないことを示す第二不近接情報を制御部１８に出力する。
【００３２】
第一近接検出部１５及び第二近接検出部１６として用いられる近接センサとしては、誘導型、静電容量型、超音波型、電磁波型及び赤外線型などの各種方式のものを適宜用いることができるが、本実施形態では、例えば、赤外線型の近接センサが用いられている。なお、近接センサは、第一対象物又は第二対象物までの距離を算出せず、単に近接センサが検出する物理量そのものに基づいて第一対象物又は第二対象物が近接したことを検出するようにしても構わない。
【００３３】
保留音出力部１７は、通信部１４による他の携帯電話Ｍとの間の音声の送受信が行われていない間に通信部１４を介して他の携帯電話Ｍへ送信する保留音を出力する手段である。保留音出力部１７は、通信部１４による他の携帯電話Ｍとの間で音声を送受信している間は保留音の出力を停止しており、他の携帯電話Ｍとの間で音声を送受信していない場合に、保留音を通信部１４に出力する。保留音出力部１７による保留音の出力は制御部１８によって制御される。
【００３４】
制御部１８は、第一近接検出部１５が第一対象物を検知しており、且つ、第二近接検出部１６が第二対象物を検知していない場合、他の携帯電話Ｍとの間で音声の送受信を停止する制御手段である。制御部１８は、第一近接検出部１５及び第二近接検出部１６から入力された検出結果に基づいて、通信部１４によって行われる他の携帯電話Ｍとの間の音声の送受信を停止する。音声の送信（入力）の停止方法としては、マイク１１による集音を無効にすること又は通信部１４による他の携帯電話Ｍへの音声の送信を停止することがある。また、音声の受信（出力）の停止方法としては、スピーカ１２による音声の出力を無効にすること又は通信部１４による他の携帯電話Ｍからの音声の受信を停止することがある。
【００３５】
制御部１８は、上述した方法で音声の送受信を停止する場合、保留音出力部１７が出力した保留音を他の携帯電話１０に送信すると共に、スピーカ１２により保留音が出力されるように制御する。一方、上述した方法で音声の送受信を停止しない場合は、保留音出力部１７が出力した保留音の他の携帯電話１０への送信を停止すると共に、スピーカ１２による保留音の出力を停止するように制御する。また、制御部１８は、第一近接検出部１５及び第二近接検出部１６から入力された検出結果に基づいて、表示部１３におけるタッチパネルの操作を有効あるいは無効とするように制御する。
【００３６】
ここで、制御部１８で実行される表示部１３及び通信部１４、及び保留音出力部１７の制御方法について具体的に説明する。図４は、携帯電話１０が保留状態となる動作の説明図である。図４に示すように、ユーザが指でマイク１１を塞いでおり、ユーザの指が第一近接検出部１５に近接しているが、第二近接検出部１６には何も近接していないと、第一近接検出部１５から第一近接情報が入力されており、第二近接検出部１６から第二不近接情報が入力される。
【００３７】
図４で示す状態の場合、制御部１８は、通信部１４による他の携帯電話Ｍとの間で音声の送受信を停止する。また同時に、制御部１８は、通信部１４を介して保留音出力部１７が出力した保留音を他の携帯電話Ｍに送信すると共に、スピーカ１２から保留音を出力する。このとき、表示部１３のタッチパネルの操作は有効である。第一近接検出部１５に近接しているものがあり、第二近接検出部１６に近接しているものがない場面としては、例えば、ユーザが耳元から携帯電話を離して、マイク１１を指で塞いでいる場合が想定される。
【００３８】
一方、第一近接検出部１５から第一近接情報が入力されており、第二近接検出部１６から第二近接情報ことを示す情報が入力されている場合、制御部１８は、通信部１４によって他の携帯電話Ｍとの間で音声の送受信を実行すると共に、表示部１３のタッチパネルの操作を無効にする。第一近接検出部１５に近接しているものがあり、第二近接検出部１６に近接しているものがある場面としては、例えば、ユーザが耳元に携帯電話１０を近づけて通話している場合が想定される。
【００３９】
また、制御部１８は、第一近接検出部１５から第一不近接情報が入力されており、第二近接検出部１６から第二近接情報が入力されている場合、通信部１４による他の携帯電話Ｍとの間で音声の送受信を実行すると共に、表示部１３のタッチパネルの操作を無効にする。第一近接検出部１５に近接しているものがなく、第二近接検出部１６に近接しているものがある場面としては、例えば、ユーザが耳元に携帯電話１０を近づけて通話している場合が想定される。
【００４０】
また、制御部１８は、第一近接検出部１５から第一不近接情報が入力されており、第二近接検出部１６から第二不近接情報が入力されている場合、通信部１４による他の携帯電話Ｍとの間で音声の送受信を実行すると共に、表示部１３のタッチパネルの操作を有効にする。ユーザが第一近接検出部１５及び第二近接検出部１６に近接しているものがない場面としては、ユーザがハンズフリーで通話している場合が想定される。
【００４１】
続いて、携帯電話１０により実行される通話制御方法について説明する。携帯電話Ｍによる処理は、図５に示すフローチャートに従い携帯電話１０によって実行される。図５は、通話制御の処理手順を示すフローチャートである。
【００４２】
本処理では、まず、無線網ＮＷを介して他の携帯電話Ｍと通話を行う（Ｓ０１）。通信部１４は、通信部１４と他の携帯電話Ｍとの間で接続が確立すると、通話中であることを示す通話情報を第一近接検出部１５及び第二近接検出部１６に出力する。
【００４３】
第一近接検出部１５は、通信部１４から通話情報が入力されると、第一近接検出部１５と第一対象物との距離が予め定めた距離よりも短くなったことに基づいて、第一近接検出部１５に第一対象物が近接しているか否かを検出し（Ｓ０２、第一近接検出ステップ）、検出結果を制御部１８へ出力する。
【００４４】
第一近接検出部１５は、第一近接検出部１５に第一対象物が近接していることを検知した場合、第一近接情報を制御部１８に出力し、第一近接検出部１５に第一対象物が近接していることを検知しなかった場合、第一不近接情報を制御部１８に出力する。なお、ユーザの通話中、第一近接検出部１５による第一対象物の近接の検知と制御部１８への検出結果の出力は、第一近接検出ステップ以降も連続して行われる。
【００４５】
第二近接検出部１６は、通信部１４から通話情報が入力されると、第二近接検出部１６と第二対象物との距離が予め定めた距離よりも短くなったことに基づいて、第二近接検出部１６に第二対象物が近接しているか否かを検出し（Ｓ０３、第二近接検出ステップ）、検出結果を制御部１８へ出力する。
【００４６】
第二近接検出部１６は、第二近接検出部１６に第二対象物が近接していることを検知した場合、第二近接情報を制御部１８に出力し、第二近接検出部１６に第二対象物が近接していることを検知しなかった場合、第二不近接情報を制御部１８に出力する。なお、ユーザの通話中、第二近接検出部１６による第二対象物の近接の検知と制御部１８への検出結果の出力は、第二近接検出ステップ以降も連続して行われる。
【００４７】
続いて、制御部１８は、第一近接検出部１５に第一対象物が近接しており、且つ、第二近接検出部１６に第二対象物が近接していない状態か否かの情報を取得する（Ｓ０４）。制御部１８は、第一近接検出部１５から第一近接情報が出力されると共に、第二近接検出部１６から第二不近接情報が出力されると（Ｓ０４；ＹＥＳ）、通信部１４による他の携帯電話Ｍとの間で音声の送受信を停止する（制御ステップ）する。また、制御部１８は、通信部１４を介して保留音出力部１７が出力した保留音を他の携帯電話Ｍに送信すると共に、スピーカ１２より保留音を出力し、保留状態とする（Ｓ０５）。なお、制御部１８は、表示部１３のタッチパネルの操作を有効とする。
【００４８】
一方、制御部１８は、第一近接検出部１５から第一近接情報が出力されると共に、第二近接検出部１６から第二不近接情報が出力されないと（Ｓ０４；ＮＯ）、第一近接検出部１５から第一近接情報が出力されると共に、第二近接検出部１６から第二不近接情報が出力されるまで、携帯電話１０を保留状態にしない。
【００４９】
この場合、制御部１８は、第二近接検出部１６から第二不近接情報が出力されていると、表示部１３のタッチパネルの操作を有効とし、第二近接検出部１６から第二近接情報が出力されていると、表示部１３のタッチパネルの操作を無効とする。すなわち、第一近接検出部１５から第一不近接情報が出力されると共に、第二近接検出部１６から第二不近接情報が出力された場合、表示部１３のタッチパネルの操作を有効とする。一方、第一近接検出部１５から第一近接情報が出力されると共に、第二近接検出部１６から第二近接情報が出力された場合、及び第一近接検出部１５から第一不近接情報が出力されると共に、第二近接検出部１６から第二近接情報が出力された場合は、表示部１３のタッチパネルの操作を無効とする。
【００５０】
続いて、保留状態において、制御部１８は、第一対象物が第一近接検出部１５に近接している状態か否かの情報を取得する（Ｓ０６）。制御部１８は、第一近接検出部１５から第一不近接情報が出力されると（Ｓ０６；ＮＯ）、制御部１８は、他の携帯電話Ｍへの保留音の送信やスピーカ１２からの保留音の出力を停止すると共に、通信部１４による他の携帯電話Ｍとの間で音声の送受信を再開し、保留状態が解除される（Ｓ０７）。また、保留状態の解除と同時に、通話が再開される。このとき、制御部１８は、第二近接検出部１６から第二不近接情報が出力されている場合、表示部１３のタッチパネルの操作を有効にし、第二近接検出部１６から第二近接情報が出力されている場合、表示部１３のタッチパネルの操作を無効にする。なお、通話が再開されると、制御部１８は、第一近接検出部１５に第一対象物が近接しており、且つ、第二近接検出部１６に第二対象物が近接していない状態か否かの情報を再度取得する（Ｓ０４）。そして、通話が終了するまで、Ｓ０４〜Ｓ０７を繰り返し行う。
【００５１】
一方、保留状態において、制御部１８は、第一近接検出部１５から第一近接情報が出力されると（Ｓ０６；ＹＥＳ）、制御部１８は、保留状態において、第一対象物が近接していることが検出されなくなるまで保留状態のままにする。また、制御部１８は、第二近接検出部１６から第二不近接情報が出力されている場合、表示部１３のタッチパネルの操作を有効にし、第二近接検出部１６から第二近接情報が出力されている場合、表示部１３のタッチパネルの操作を無効にする。
【００５２】
なお、上記フローチャートにおいては、保留状態において、第一近接検出部１５から第一不近接情報が出力されることで保留状態を解除したが、更に、第二近接検出部１６から第二近接情報出力されたことを条件に保留状態を解除してもよい。この場合、制御部１８は、表示部１３のタッチパネルの操作を無効する。
【００５３】
上述したように、本実施形態に係る携帯電話１０では、第一近接検出部１５が第一近接検出部１５に第一対象物が近接することを検出しており、且つ、第二近接検出部１６第二近接検出部１６に第二対象物が近接することを検出していない場合、他の携帯電話Ｍとの間の通話を保留状態にする。この場合、ユーザが携帯電話１０を顔から遠ざけると共に、マイク１１の近くに指を近づけるだけで他の携帯電話Ｍとの通話を自動的に保留状態にできる。したがって、ユーザはボタンを押さなくても、直感的な動作で通話制御することができる。
【００５４】
また、本実施形態において、第二近接検出部１６は、スピーカ１２の近傍に設けられている。この場合、ユーザが電話機を顔から遠ざけたことをより正確に検出することができる。
【００５５】
また、第一近接検出部１５及び第二近接検出部１６は、近接センサである。この場合、ユーザが携帯電話１０を顔から遠ざけたこと及びマイクの近くに指を近づけたことをより正確に検出することができる。
【００５６】
また、本実施形態において、タッチパネルを搭載した表示部１３を更に備え、第二近接検出部１６がユーザの顔の近接を検出している場合、タッチパネルの操作を無効にしている。この場合、ユーザがタッチパネルに顔を近づけている場合に、タッチパネルが耳や頬に反応して生じる誤動作を防止することができる。
【００５７】
以上、本発明のその実施形態に基づいて詳細に説明した。しかし、本発明は上記実施形態に限定されるものではない。本発明は、以下のような様々な変形が可能である。
【００５８】
本実施形態では、電話機として携帯電話１０を用いた場合を説明したが、電話機として固定電話を用いた場合にも本発明を適用することもできる。この場合、固定電話の受話器の受話部の近傍に第一近接検出部１５を設け、送話部の近傍に第二近接検出部１６を設けることで、受話器にユーザの顔が近接したことや周囲の音声が通話相手に聞こえないようにユーザが指で受話部を塞いでいることを検出できる。
【００５９】
本実施形態では、スピーカ１２にイヤホンが接続されていなかったが、スピーカ１２にイヤホンが接続されている場合、第一近接検出部１５が第一近接検出部１５に第一対象物が近接することを検出しており、且つ、第二近接検出部１６第二近接検出部１６に第二対象物が近接することを検出していない場合であっても、他の携帯電話Ｍとの間で音声を送受信する。通話中にユーザがイヤホンを接続して携帯電話１０を使用している場合、ユーザは他の携帯電話Ｍからの音声はイヤホンで聞くが、携帯電話１０のマイク１１に口を近づけて通話をする。このため、第一近接検出部１５のみが近接を検出しているので、制御部１８は、ユーザの指が第一近接検出部１５に近接した状況ではないのに、ユーザの指が近接した場合と同様の状況になってしてしまう。よって、スピーカ１２にイヤホンが接続されている場合には、第一近接検出部１５に第一対象物が近接していることが検出されており、且つ、第二近接検出部１６に第二対象物が近接していることが検出されていない場合でも、通信部１４は、他の携帯電話Ｍとの間で音声を送受信する。これにより、携帯電話１０の使用状況にあった通話制御方法を提供できる。なお、イヤホンがスピーカに接続された場合、制御部１８は、通話時には、通話相手の音声をイヤホンから出力するように制御し、保留時には、イヤホンから保留音が出力されるように制御する。
【００６０】
本実施形態において、近接センサが検出物との近接を検出したことにより、第一近接検出部１５及び第二近接検出部１６にユーザの顔又は指と携帯電話１０とが近接したと判定したが、ユーザの顔又は指と携帯電話１０との近接を判定する方法はこれに限られない。例えば、近接センサの代わりに照度センサを用い、照度センサが暗さを感知することを条件に、第一近接検出部１５及び第二近接検出部１６に近接するものがあることを検出するようにしてもよい。また、第一近接検出部１５及び第二近接検出部１６として近接センサの代わりに、触圧センサを設け、触圧センサが触圧を検出したことによりユーザの顔又は指の近接を検出してもよい。
【００６１】
本実施形態において、マイク１１は、携帯電話１０の前面に設けられていたが、携帯電話１０の底面や側面の下部に設けられていても構わない。また、マイク１１と第一近接検出部１５は、同時に塞ぐことができる距離にあれば、携帯電話１０の同一面上に設けられていなくても構わない。すなわち、マイク１１が携帯電話１０の底面や側面の下側に設けられていても、第一近接検出部１５が携帯電話１０の前面の下側に設けられていてもよい。
【００６２】
本実施形態において、第二近接検出部１６は、携帯電話１０のスピーカ１２の近傍に設けられていたが、第二近接検出部１６の位置はこれに限られない。通話中にユーザが携帯電話１０を顔に近づけたことを判断できれば、携帯電話１０のどの位置に設けられていても構わなく、第一近接検出部１５と同一面上に設けられなくても構わない。
【００６３】
また、本実施形態では、制御部１８は、第一近接検出部１５から第一近接情報が入力されており、第二近接検出部１６から第二不近接情報が入力される場合、他の携帯電話Ｍとの音声の送受信を停止すると共に、保留音を他の携帯電話Ｍに送信及び保留音をスピーカ１２から出力することで保留状態としたが、本実施形態のように保留状態とせずに、他の携帯電話Ｍとの音声の送受信を停止するのみでも構わなく、他の携帯電話Ｍへの音声の送信のみを停止するのみでも構わない。第一近接検出部１５から第一近接情報が入力されており、第二近接検出部１６から第二不近接情報が入力された場合における携帯電話１０の動作は、表示部１３のタッチパネルによる操作入力により設定することができる。
【００６４】
また、本実施形態では、第一近接検出部１５の近接センサが第一対象物の近接を検出しており、第二近接検出部１６の近接センサが第二対象物の近接を検出している場合、及び、第一近接検出部１５の近接センサが第一対象物の近接を検出しておらず、第二近接検出部１６の近接センサが第二対象物の近接を検出している場合、タッチパネルの操作を無効にしたが、タッチパネルの操作を無効にすると共に、表示部１３のディスプレイにおけるバックライトを消灯してもよい。
【００６５】
また、本実施形態においては、ユーザがマイク１１を指で塞ぐことで保留状態にできるとしてが、ユーザがマイク１１を指で塞ぐか、あるいは、表示部１３に保留ボタンのソフトキーを表示させ、このソフトキーをユーザが押すことで保留状態にできるとしてもよい。
【００６６】
（第２実施形態）
本発明の好適な実施形態である第２実施形態について第１実施形態と異なる点を中心に説明する。第２実施形態に係る携帯電話２０は、第１実施形態に係る携帯電話１０の第二近接検出部１６及び制御部１８に代え、第二近接検出部２６及び制御部２８をそれぞれ備えている。すなわち、第２実施形態に係る携帯電話２０は、機能的には、通信部１４、第一近接検出部１５、第二近接検出部２６、保留音出力部１７及び制御部２８を備えている。
【００６７】
第１実施形態に係る第二近接検出部１６と第２実施形態に係る第二近接検出部２６とは、第二対象物の近接を検出する条件や配置されている位置が異なる。また、第１実施形態に係る制御部１８と第２実施形態に係る制御部２８とは、他の携帯電話Ｍとの間の通話を保留状態にする条件が異なる。
【００６８】
詳細には、第二近接検出部１６は、第二近接検出部１６の近くにある第二対象物との距離が予め定めた距離（例えば５ｃｍ）よりも短くなった場合に、第二対象物が第二近接検出部１６に近接していることを検出した。これに対し、第二近接検出部２６は、第二対象物が第二近接検出部２６と接触した場合に、第二対象物が第二近接検出部２６に近接していることを検出する。すなわち、第二近接検出部２６は、第二近接検出部２６に第二対象物が接触した場合、第二近接情報を制御部２８に出力する。一方、第二近接検出部２６は、第二近接検出部２６に第二対象物が接触してない場合、第二不近接情報を制御部２８に出力する。
【００６９】
また、第二近接検出部１６は、スピーカ１２の近傍に設けられ、例えば、近接センサから構成され、スピーカ１２から予め設定された距離を離して設けられており、スピーカ１２に耳等のユーザの顔部やその他の体の一部が近づいたことを検出できる距離に配置されていた。これに対し、第二近接検出部２６は、通話中に携帯電話２０を握っているユーザの指が接触する箇所に配置されている。図６は、第２実施形態に係る携帯電話２０をユーザが通話中に握る様子を示す図である。図６に示すように、携帯電話２０において、表示部１３が設けられた表面２０ａとは反対側の背面２０ｂと、右側面２０ｃ及び左側面２０ｄと、が把持部となっており、ユーザは通話中に把持部を握っている。第２実施形態では、第二近接検出部２６は、例えば、接触センサ（タッチセンサ）から構成され、通話中に携帯電話２０を左手で握っているユーザの親指が接触する左側面２０ｄに設けられている。なお、第二近接検出部２６は、右側面２０ｃに設けられていてもよく、この場合、通話中に携帯電話２０を右手で握っているユーザの親指と第二近接検出部２６とが接触する。また、第二近接検出部２６は、図６に示すように、指で塞がれる大きさでもよいし、右側面２０ｃ又左側面２０ｄの半分以上を占める大きさでも構わない。
【００７０】
また、制御部１８は、第一近接検出部１５が第一近接検出部１５に第一対象物が近接することを検出しており、且つ、第二近接検出部１６が第二近接検出部１６に第二対象物が近接することを検出していない場合、他の携帯電話Ｍとの間の通話を保留状態にした。これに対し、制御部２８は、第一近接検出部１５が第一対象物の近接を検出しており、且つ、第二近接検出部２６が第二対象物の近接を検出していない状態において、更に、当該状態となった時点から設定された時間過去に遡ったときに第二近接検出部２６が第二対象物の近接を検出している場合、他の携帯電話Ｍとの間の通話を保留状態にすると判断する。
【００７１】
すなわち、制御部２８は、第二近接検出部２６から出力される第二近接情報及び第二不近接情報を、ユーザが携帯電話２０の持ち方を変えたことを認識できる間隔（例えば１秒間毎）で連続的に取得し、取得した情報を制御部２８内に保持している。なお、第二近接検出部２６が第二近接情報又は第二不近接情報を取得する間隔は予めユーザの操作により制御部２８において設定することができる。
【００７２】
制御部２８は、第１実施形態における判断に加え、第一近接検出部１５から第一近接情報が入力され、第二近接検出部２６から第二不近接情報が入力されると、第一近接情報及び第二不近接情報が入力された時点から予め設定された時間（例えば５秒）遡って第二近接検出部２６から入力された情報を検索し、第二対象物が第二近接検出部２６に確実に接触したと認識できる所定の回数（例えば２〜３回以上）第二近接情報が入力されたか否かによって、保留状態とするか否かを判断する。第一近接情報及び第二不近接情報が入力された時点から予め設定された時間は、例えば、第二対象物が第二近接検出部２６に確実に接触したと認識できる時間と、ユーザが携帯電話２０の持ち方を変えたことを認識できる時間とを合計した時間であり、予めユーザの操作により制御部２８において設定することができる。なお、制御部２８は、第一近接情報及び第二不近接情報が入力された時点から予め設定された時間過去に遡って、第二近接情報が１回でも入力していれば、保留状態と判断してもよい。
【００７３】
制御部２８は、第二近接検出部２６から第二近接情報が所定の回数入力された場合、携帯電話２０を保留状態にすると判断する。一方、制御部２８は、第二近接検出部２６から第二近接情報が所定の回数入力されなかった場合、携帯電話２０を保留状態にしないと判断する。
【００７４】
図７は、第２実施形態に係る携帯電話２０が保留状態となる動作の説明図である。ユーザが通話中に保留状態としたい場合にとる直感的な動作としては、例えば、図６に示すように、ユーザが携帯電話２０の把持部を握っている状態から、携帯電話２０の持ち方を変え、図７に示すように携帯電話２０の背面２０ｂのみを指でささえながら、親指でマイク１１を塞ぐ動作を行うことが考えられる。
【００７５】
ここで、上述の動作をユーザが行うときに、制御部２８で実行される表示部１３及び通信部１４、及び保留音出力部１７の制御方法について具体的に説明する。まず、図６に示すように、第二対象物であるユーザの親指が第二近接検出部２６に接触していると、第二近接検出部２６から制御部２８に第二近接情報が入力される。そして、図７に示すように、ユーザの親指が第二近接検出部２６から離れた後、親指がマイク１１を塞いでおり、ユーザの指が第一近接検出部１５に近接しているが、第二近接検出部２６に何も接触していないと、制御部２８に、第一近接検出部１５から第一近接情報が入力され、第二近接検出部２６から第二不近接情報が入力される。
【００７６】
制御部２８は、図６で示す状態から図７で示す状態に変化し、第一近接検出部１５が第一対象物の近接を検出しており、且つ、第二近接検出部２６が第二対象物の近接を検出していない状態において、更に、当該状態となった時点から設定された時間過去に遡ったときに第二近接検出部２６が第二対象物の近接を検出していると判断すると、通信部１４による他の携帯電話Ｍとの間で音声の送受信を停止する。また同時に、制御部２８は、通信部１４を介して保留音出力部１７が出力した保留音を他の携帯電話Ｍに送信すると共に、スピーカ１２から保留音を出力する。このとき、表示部１３のタッチパネルの操作は有効である。なお、図７で示す状態から更に図６で示す状態に戻ると、制御部２８に第一近接検出部１５から第一不近接情報が入力され、第二近接検出部２６から第二近接情報が入力される。そして、制御部２８は、通信部１４によって他の携帯電話Ｍとの間で音声の送受信を実行すると共に、表示部１３のタッチパネルの操作を無効にする。
【００７７】
続いて、第２実施形態において、携帯電話２０により実行される通話制御方法について第１実施形態と異なる点を中心に説明する。携帯電話Ｍによる処理は、図８に示すフローチャートに従い携帯電話２０によって実行される。図８は、通話制御の処理手順を示すフローチャートである。
【００７８】
本処理では、まず、無線網ＮＷを介して他の携帯電話Ｍと通話を行う（Ｓ１１）。通信部１４は、通信部１４と他の携帯電話Ｍとの間で接続が確立すると、通話中であることを示す通話情報を第一近接検出部１５及び第二近接検出部２６に出力する。
【００７９】
第一近接検出部１５は、通信部１４から通話情報が入力されると、第一近接検出部１５と第一対象物との距離が予め定めた距離よりも短くなったことに基づいて、第一近接検出部１５に第一対象物が近接しているか否かを検出し（Ｓ１２、第一近接検出ステップ）、検出結果を制御部２８へ出力する。
【００８０】
第一近接検出部１５は、第一近接検出部１５に第一対象物が近接していることを検知した場合、第一近接情報を制御部２８に出力し、第一近接検出部１５に第一対象物が近接していることを検知しなかった場合、第一不近接情報を制御部２８に出力する。なお、ユーザの通話中、第一近接検出部１５による第一対象物の近接の検知と制御部２８への検出結果の出力は、第一近接検出ステップ以降も連続して行われる。
【００８１】
第二近接検出部２６は、通信部１４から通話情報が入力されると、第二近接検出部２６に第二対象物が接触したことに基づいて、第二近接検出部２６に第二対象物が近接しているか否かを検出し（Ｓ１３、第二近接検出ステップ）、検出結果を制御部２８へ出力する。
【００８２】
第二近接検出部２６は、第二近接検出部２６に第二対象物が近接していることを検知した場合、第二近接情報を制御部２８に出力し、第二近接検出部２６に第二対象物が近接していることを検知しなかった場合、第二不近接情報を制御部２８に出力する。なお、ユーザの通話中、第二近接検出部２６による第二対象物の近接の検知と制御部２８への検出結果の出力は、第二近接検出ステップ以降も連続して行われる。
【００８３】
第２実施形態では、制御ステップ（Ｓ１４及びＳ１５）において、制御部２８が他の携帯電話Ｍとの間の通話を保留状態にする条件が第１実施形態における制御部１８とは異なっている。すなわち、第２実施形態では、まずＳ１４において、制御部２８が、第一近接検出部１５に第一対象物が近接しており、且つ、第二近接検出部２６に第二対象物が近接していない状態か否かの情報を取得する（Ｓ１４）。第一近接検出部１５から第一近接情報が出力されると共に、第二近接検出部２６から第二不近接情報が出力されると（Ｓ１４；ＹＥＳ）、制御部２８が、第一近接情報及び第二不近接情報が出力された時点から予め設定された時間過去に遡って制御部２８に出力された情報を検索し、第二近接情報が所定の回数出力されているか否かによって、保留状態にするか否かを判断する（Ｓ１５）。
【００８４】
一方、Ｓ１４において、第一近接検出部１５から第一近接情報が出力されると共に、第二近接検出部２６から第二不近接情報が出力されないと（Ｓ１４；ＮＯ）、制御部２８は、次の時点（時刻）における第一近接検出部１５に第一対象物が近接しており、且つ、第二近接検出部２６に第二対象物が近接していない状態か否かの情報を引き続き取得し続ける。
【００８５】
次に、Ｓ１５において、第一近接情報及び第二不近接情報が出力された時点から予め設定された時間過去に遡って制御部２８に出力された情報を検索した場合に、第二近接検出部２６から第二近接情報が所定の回数出力されていることを検出すると（Ｓ１５；ＹＥＳ）、制御部２８は通信部１４による他の携帯電話Ｍとの間で音声の送受信を停止する。また、制御部２８は、通信部１４を介して保留音出力部１７が出力した保留音を他の携帯電話Ｍに送信すると共に、スピーカ１２より保留音を出力し、保留状態とする（Ｓ１６）。なお、制御部２８は、表示部１３のタッチパネルの操作を有効とする。また、保留状態（Ｓ１６）となってから保留解除（Ｓ１８）までのステップは、第１実施形態のＳ５〜７と同様である。
【００８６】
一方、Ｓ１５において、第一近接情報及び第二不近接情報が出力された時点から予め設定された時間過去に遡って制御部２８に出力された情報を検索した場合に、第二近接検出部２６から第二近接情報が所定の回数出力されていないことを検出しないと（Ｓ１５；ＮＯ）、制御部２８は、第一近接検出部１５に第一対象物が近接しており、且つ、第二近接検出部２６に第二対象物が近接していない状態か否かの情報を再び取得し始める（Ｓ１４）。また、制御部２８は、表示部１３のタッチパネルの操作を無効のままにする。
【００８７】
上述したように、第２実施形態に係る携帯電話２０において、制御部２８は、第一近接検出部１５が第一対象物の近接を検出しており、且つ、第二近接検出部２６が第二対象物の近接を検出していない状態において、更に、当該状態となった時点から設定された時間過去に遡ったときに第二近接検出部２６が第二対象物の近接を検出している場合、他の携帯電話Ｍとの間の通話を保留状態にする。これにより、ユーザが周囲の音を遮断するために、通話中のユーザが携帯電話２０の握り方を変え、ユーザの親指が第二近接検出部２６に接触している状態から、ユーザの親指が第二近接検出部２６から離れたことを検出することで、他の携帯電話Ｍとの間の通話を保留状態にできる。したがって、複数の時点におけるユーザの状態を検出した時点で初めて通話制御を行うため、ユーザによる直感的な動作をより正確に検出することができる。
【００８８】
また、第２実施形態において、第二近接検出部２６は、第二対象物の近接として、第二対象物の接触を検出している。これにより、例えば、ユーザの耳の近くに携帯電話２０があっても、携帯電話２０の握り方が変わったことに応じた検出をすることで、周囲の音声を通話相手に送信することを自動的に停止できる。したがって、第二近接検出部２６に第二対象物であるユーザの手が近接している条件においても、ユーザによる直感的な動作を検出することができる。なお、第１実施形態においても、第二近接検出部１６が、第二対象物の近接として、第二対象物の接触を検出しても構わない。
【００８９】
以上、本発明のその実施形態に基づいて詳細に説明した。しかし、本発明は上記実施形態に限定されるものではない。本発明は、以下のような様々な変形が可能である。
【００９０】
本実施形態において、第二近接検出部２６は、携帯電話２０の左側面２０ｄに設けられていたが、第二近接検出部２６の位置はこれに限られない。ユーザが携帯電話２０の握り方を変えたことを判断できれば、携帯電話２０のどの位置に設けられていても構わなく、第一近接検出部１５と同一面上に設けても構わない。
【００９１】
本実施形態においては、ユーザが図６に示す状態から図７に示す状態に携帯電話２０の握り方を変え、且つ、ユーザがマイク１１を指で塞ぐことで保留状態にできるとしたが、保留状態とするユーザの動作はこれに限られない。ユーザが図６に示す状態から図７に示す状態に携帯電話２０の握り方を変えた時点で保留状態にできるとしてもよい。
【符号の説明】
【００９２】
１０，２０…携帯電話、１１…マイク、１２…スピーカ、１３…表示部、１４…通信部、１５…第一近接検出部、１６，２６…第二近接検出部、１７…保留音出力部、１８，２８…制御部。
【図１】
0005523545.tif 000002
【図２】
0005523545.tif 000003
【図３】
0005523545.tif 000004
【図４】
0005523545.tif 000005
【図５】
0005523545.tif 000006
【図６】
0005523545.tif 000007
【図７】
0005523545.tif 000008
【図８】
0005523545.tif 000009